(57)【要約】【課題】六角ボルトや六角ナット等の六角柱状締結具に係り、螺締された六角柱状締結具をスパナやレンチ等の一般的な回動工具で取り外すことを不能にする盗難防止用ボルトキャップを提供する。【解決手段】螺締された六角ボルトの頭部または螺締された六角ナット等の螺締された六角柱状締結具の周囲を覆うように嵌入される円筒状のインナーキャップ１と、前記インナーキャップ１の周囲を覆いつつ前記インナーキャップ１に対して分離不能かつ回動自在に設けられた円筒状のアウターキャップ１０とからなり、前記インナーキャップ１の内周に前記インナーキャップ１の引抜方向かつ内向に起立した複数の爪状の抜脱防止片８が前記インナーキャップ１の円筒中心軸に対して回転対称状であって且つ等間隔に八個形成される。【選択図】図３
2008309235.tif 000002
【特許請求の範囲】
【請求項１】
螺締された六角ボルトの頭部または螺締された六角ナット等の螺締された六角柱状締結具の周囲を覆うように嵌入される円筒状のインナーキャップと、前記インナーキャップの周囲を覆いつつ前記インナーキャップに対して分離不能かつ回動自在に設けられた円筒状のアウターキャップとからなり、前記インナーキャップの内周に前記インナーキャップの引抜方向かつ内向に起立した複数の爪状の抜脱防止片が形成されたことを特徴とする盗難防止用ボルトキャップ。
【請求項２】
インナーキャップの内周に形成された爪状の抜脱防止片は、前記インナーキャップの円筒中心軸に対して回転対称状であって且つ等間隔に八個形成されたものであることを特徴とする請求項１に記載の盗難防止用ボルトキャップ。
【請求項３】
インナーキャップの内周に形成された爪状の抜脱防止片の先端は、鋭く尖るように形成されて切欠が設けられたことを特徴とする請求項１または請求項２に記載の盗難防止用ボルトキャップ。
【発明の詳細な説明】
【技術分野】
【０００１】
本発明は、螺締された六角ボルトや螺締された六角ナット等の螺締された六角柱状締結具をスパナやレンチ等の一般的な回動工具で取り外すことを不能にする盗難防止用ボルトキャップに関するものである。
【背景技術】
【０００２】
金属需要拡大や資源枯渇問題などの影響から金属材料の価格高騰が続いており、こうした事情を背景に転売目的とみられる金属材料の盗難事件が増加している。例えば、道路標識やガードレールまたは公園に設置された滑り台等の遊具などに螺締されたボルトを取り外して金属部材を盗難する事件である。また、送電用鉄塔の脚部を固定するボルトを引き抜いたり、鉄道線路のレールと枕木を結合するボルトを取り外すといった、重大な事故に発展しかねない悪質な犯罪行為も発生している。しかし、上記のような金属部材や建造物に螺締されたボルトやナット等の締結具はスパナやレンチ等の一般的な回動工具で簡単に取り外せるために盗難や犯罪に対して全く無防備であった。このような問題に対して防止効果を付加しようとする公知の技術としては、例えば下記特許文献１および特許文献２に開示されているものがある。
【特許文献１】実用新案登録第３１２３９７７号公報
【特許文献２】特開２００３−３１２２０２号公報
【発明の開示】
【発明が解決しようとする課題】
【０００３】
上記特許文献１に記載の考案では、ボルト頭部の周囲をカバー部材で覆ってしまい、スパナやレンチ等の一般的な回動工具を使用できなくしている。しかし、このカバー部材はボルト軸部の先端側から貫入してボルト頭部に嵌め被せる構造であることから、ボルトを締結する前に予めカバー部材をボルト頭部に嵌着しておかなくてはならない。従って、ボルトを締結する際にはスパナやレンチ等の一般的な回動工具による螺締が不可能となってしまい、専用回動工具による螺締を強いられるために利便性が損なわれている。また、既に螺締されたボルトに対して盗難防止を施したくても、ボルトを一旦取り外すことなしにはカバー部材をボルト頭部に嵌着する事が不可能である。
【０００４】
また、上記特許文献２に記載の発明では、螺締したボルトの頭部の周囲を覆ってしまう嵌合部によって、スパナやレンチ等の一般的な回動工具による緩め操作を不能にしている。しかし、前記嵌合部はボルトの頭部に強固に固着されており、例えば、前記嵌合部をプライヤ等の挟み工具で強力に掴持して回動させることができたら、ボルト頭部も同時に回動してしまいボルトを緩めることが可能となる。
【課題を解決するための手段】
【０００５】
そこで、本発明は上記のような課題を解決するための盗難防止用ボルトキャップを提供するもので、本願の請求項１に記載の発明は、螺締された六角ボルトの頭部または螺締された六角ナット等の螺締された六角柱状締結具の周囲を覆うように嵌入される円筒状のインナーキャップと、前記インナーキャップの周囲を覆いつつ前記インナーキャップに対して分離不能かつ回動自在に設けられた円筒状のアウターキャップとからなり、前記インナーキャップの内周に前記インナーキャップの引抜方向かつ内向に起立した複数の爪状の抜脱防止片が形成されたことを特徴とする。
【０００６】
また、本願の請求項２に記載の発明は上記の盗難防止用ボルトキャップにおいて、インナーキャップの内周に形成された爪状の抜脱防止片は、前記インナーキャップの円筒中心軸に対して回転対称状であって且つ等間隔に八個形成されたものであることを特徴とする。
【０００７】
また、本願の請求項３に記載の発明は上記の盗難防止用ボルトキャップにおいて、インナーキャップの内周に形成された爪状の抜脱防止片の先端は、鋭く尖るように形成されて切欠が設けられたことを特徴とする。
【発明の効果】
【０００８】
請求項１に記載の盗難防止用ボルトキャップでは、螺締された六角柱状締結具に盗難防止用ボルトキャップを嵌入すると、円筒状のインナーキャップの内周に形成された複数の爪状の抜脱防止片が六角柱状締結具の外周面に食い込むように引っ掛かることで、盗難防止用ボルトキャップは六角柱状締結具に固着されて抜脱不可能となる。そして、六角柱状締結具の周囲は円筒状の盗難防止用ボルトキャップに完全に覆われてしまうので、スパナやレンチ等の一般工具で六角柱状締結具を回動することは不可能となる。また、円筒状のアウターキャップはインナーキャップの周囲を覆いつつインナーキャップに対して分離不能かつ回動自在に設けられているので、アウターキャップをプライヤ等の挟み工具で掴持して回動させたとしても、インナーキャップが同時に回動することはなく、従って、六角柱状締結具を回動して取り外すことは不可能となる。
【０００９】
また、請求項２に記載の盗難防止用ボルトキャップでは、爪状の抜脱防止片がインナーキャップの円筒中心軸に対して回転対称状であって且つ円筒状のインナーキャップの内周に等間隔に八個形成されたことで、盗難防止用ボルトキャップを六角柱状締結具に対してどのような回転角で嵌入しても、必ず複数の抜脱防止片が六角柱状締結具の外周面に食い込むように引っ掛かる。言い換えれば、抜脱防止片が六角柱状締結具の外周面に一つも接触しないような状態を避けることができる。
【００１０】
また、請求項３に記載の盗難防止用ボルトキャップでは、爪状の抜脱防止片の先端が鋭く尖るように形成されたことで、抜脱防止片は六角柱状締結具の外周面に食い込み易くなり、さらに、爪状の抜脱防止片の先端に切欠が設けられたことで、抜脱防止片は六角柱状締結具の頂点に係合し易くなり、このことによって抜脱防止片の引っ掛かりは六角柱状締結具の外周面に均一になる。
【発明を実施するための最良の形態】
【００１１】
次に図面に従い本発明の実施の形態を説明する。図１は本発明に係る盗難防止用ボルトキャップの分解斜視図であり、図２は本発明に係る盗難防止用ボルトキャップの分解断面図である。また、図３は本発明に係る盗難防止用ボルトキャップを六角ボルトの頭部に嵌合した際の縦断面図であり、図４は本発明に係る盗難防止用ボルトキャップを六角ナットに嵌合した際の縦断面図である。さらに、図５は図３におけるＸ−Ｘ線断面図である。
【００１２】
本発明の盗難防止用ボルトキャップは、六角ボルトの頭部または六角ナット等の六角柱状締結具の周囲を覆うように嵌入される円筒状のインナーキャップ１と、前記インナーキャップ１の周囲を覆いつつ前記インナーキャップ１に対して分離不能かつ回動自在に設けられた円筒状のアウターキャップ１０とから構成される。また、盗難防止用ボルトキャップが嵌入される六角柱状締結具はＪＩＳ規格に適合する一般的な締結具であり、例えば六角ボルト１９である。
【００１３】
インナーキャップ１は弾性金属板を素材として円筒状にプレス成型されたものであり、このインナーキャップ１の円筒状側面２の内径は六角ボルトの頭部２０の対角寸法にほぼ等しく、またインナーキャップ１の軸方向長さは六角ボルトの頭部２０の軸方向長さよりもやや長い。インナーキャップ１の一方端は開口端３であり、この開口は六角ボルトの頭部２０の嵌入口４となっている。また他方端は内向鍔５が垂設されており、この内向鍔５の内周縁によって円状孔６が形成されている。
【００１４】
このインナーキャップ１の円筒状側面２は、コ字状切込７を設けて複数の爪状の抜脱防止片８が形成されている。この抜脱防止片８は略長方形をしており、インナーキャップ１の軸に対して平行な辺の長さは六角ボルトの頭部２０の軸方向長さの約４分の１であり、インナーキャップ１の軸に対して垂直な辺の長さは六角ボルトの頭部２０の一側面幅の約半分である。さらに、抜脱防止片８の先端は鋭く尖るように形成されて中央部に矩形の切欠９が設けられている。抜脱防止片８の四辺のうちインナーキャップ１の開口端３側の一辺は、コ字状切込７を設けたことからインナーキャップ１の円筒状側面２と繋がっている。そして、抜脱防止片８は、この一辺を基端として内向に傾斜されることにより、インナーキャップ１の引抜方向かつ内向に起立している。このように抜脱防止片８を起立させたことで、抜脱防止片８の先端はインナーキャップの径方向に対してバネのように弾性的に作動する。この爪状の抜脱防止片８は、インナーキャップ１の開口端３から内向鍔５が設けられた端に向かって、六角ボルトの頭部２０の軸方向長さの略半分の距離に位置するように、インナーキャップの円筒中心軸に対して回転対称状であって且つインナーキャップの内周に等間隔に八個形成されている。
【００１５】
アウターキャップ１０は、インナーキャップ１と同様に、弾性金属板を素材として円筒状にプレス成型されたものであり、このアウターキャップ１０の円筒状側面１１の内径はインナーキャップ１の外径よりやや大きく、またアウターキャップ１０の軸方向長さはインナーキャップ１の軸方向長さよりもやや長い。また、アウターキャップ１０の円筒状側面１１はやや厚く形成されている。アウターキャップ１０の一方端は開口端１２であり、この開口はインナーキャップ１の挿入口１３となっている。また他方端は内向鍔１４が垂設されており、この内向鍔１４の内周縁によって円状孔１５が形成され、この円状孔１５の直径は六角ボルトの軸部２１を遊挿できる大きさである。さらに、図２で示されるように、円筒状内側面１６が円状孔１５の周縁にアウターキャップ１０の内部に向かって垂設されている。この円筒状内側面１６は軸方向長さがインナーキャップ１の内向鍔５の厚さよりも長くなるように形成されている。
【００１６】
このようなアウターキャップ１０をインナーキャップ１に結合するために、インナーキャップ１はアウターキャップ１０の挿入口１３から挿入されて、インナーキャップ１の円状孔６はアウターキャップ１０の円筒状内側面１６に外嵌される。さらに、図３に示したように、アウターキャップ１０の円筒状内側面１６の先端周縁をインナーキャップ１の内向鍔５の内周縁を包み込むように外部方向に折り曲げて、アウターキャップ１０はインナーキャップ１に鳩目状にかしめ接合１７される。このようにすることで、アウターキャップ１０はインナーキャップ１の周囲を完全に覆いつつインナーキャップ１に対して分離不能かつ回動自在に把持される。またこの時、インナーキャップ１の開口端３はアウターキャップ１０の開口端１２よりやや奥に位置する状態となる。加えて、アウターキャップ１０の内周とインナーキャップ１の外周の間には隙間１８が設けられ、この隙間１８の範囲内でアウターキャップ１０は揺動自在である。
【００１７】
次に上記盗難防止用ボルトキャップの使用状態を説明する。図３に示した六角ボルト１９は、軸部２１にワッシャー２２を通し、スパナやレンチ等の一般的な回動工具を使用して板材２３を被締結部材２４に締結したものである。
【００１８】
本発明に係る盗難防止用ボルトキャップは、この螺締された六角ボルトの頭部２０に盗難防止用ボルトキャップの嵌入口４から嵌め込んでいく。この際には、インナーキャップ１の内周に形成された複数の爪状の抜脱防止片８は弾性的に撓んで、先端が六角ボルトの頭部２０の外周面に摺接しつつ滑らかに移動するので、盗難防止用ボルトキャップは六角ボルトの頭部２０にスムーズに嵌入できる。また、これらの抜脱防止片８がインナーキャップ１の円筒中心軸に対して回転対称状であって且つインナーキャップ１の内周に等間隔に八個形成されたことに加えて矩形の切欠９が抜脱防止片８の先端に設けられたことが相乗効果をもたらし、抜脱防止片８は六角ボルトの頭部２０に均一に係合するようになる。具体的には、盗難防止用ボルトキャップを六角ボルトの頭部２０に対してどのような回転角で嵌入しても、図５に示したように、対向する一対の抜脱防止片８の切欠９が六角ボルトの頭部２０の対向する一対の頂点に確実に係合し、加えて、四片の抜脱防止片８の一部が六角ボルトの頭部２０の外周面に係合した状態となる。
【００１９】
一旦、盗難防止用ボルトキャップが六角ボルトの頭部２０に嵌入されると、抜脱防止片８の先端は六角ボルトの頭部２０の外周面に対して付勢された状態を維持する。従って、抜脱防止片８は六角ボルトの頭部２０の外周面に食い込むように引っ掛かり、盗難防止用ボルトキャップは六角ボルトの頭部２０に固着される。盗難防止用ボルトキャップを抜き取ろうとすると、爪状の抜脱防止片８はインナーキャップ１の引抜方向に起立していることから、鋭く尖るように形成された抜脱防止片８の先端は六角ボルトの頭部２０の外周面に更に食い込むように作用する。従って、盗難防止用ボルトキャップは一層引き抜き難くなる。尚、この抜脱防止片８は焼きを入れて硬く鍛えておくことで、六角ボルトの頭部２０の外周面への食い込みをより強固にできる。
【００２０】
この状態で、盗難防止用ボルトキャップは六角ボルトの頭部２０の周囲を完全に覆いつつ取り外し不能に固着されているため、スパナやレンチ等の一般的な回動工具による六角ボルト１９の取り外しは不可能となる。
【００２１】
さらに、アウターキャップ１０はインナーキャップ１に分離不能かつ回動自在に覆設されているので、アウターキャップ１０をプライヤ等の挟み工具で掴持して回動させたとしても、インナーキャップ１が同時に回動することはない。また、アウターキャップ１０の内周とインナーキャップ１の外周の間には隙間１８が設けてあるため、プライヤ等の挟み工具によってアウターキャップ１０の円筒状側面１１が多少変形されてしまっても、その変形がインナーキャップ１の円筒状側面２まで直ちに到達することはない。従って、挟み工具によって盗難防止用ボルトキャップを掴持しても、六角ボルト１９を回動させて取り外すことはやはり不可能となる。
【００２２】
本発明の盗難防止用ボルトキャップは、六角柱状締結具であれば六角ボルトの頭部のみならず六角ナット２５にも嵌入可能である。その際には、図４に示したように、仮に螺締された六角ナット２５から六角ボルトの軸部が突出していても、六角ボルトの軸部はアウターキャップ１０の円状孔１５に遊挿される。
【００２３】
なお、本実施例においては、爪状の抜脱防止片８をインナーキャップ１の内周に八個形成しているが、この個数は八個に限られたものではない。特に、大径の六角ボルトや六角ナットへの嵌入に際しては、より多くの抜脱防止片８を形成して固着力を強化することができる。
【００２４】
本発明の盗難防止用ボルトキャップはインナーキャップ１とアウターキャップ１０のみから構成される極めてシンプルな構造であるため製造が容易である。よって、ＪＩＳ規格に適合した異なる寸法の六角ボルトや六角ナット等の六角柱状締結具に合わせて、其々適切な大きさの盗難防止用ボルトキャップを低コストで大量に生産可能である。また、使用する金属材料もステンレスや鋼鉄などから選択できる。
【００２５】
さらに、本発明の盗難防止用ボルトキャップは、六角柱状締結具への嵌め込みに際して工具を必要とせず、すでに螺締された状態の六角柱状締結具に対しても後付けで容易に嵌入でき、加えて、盗難防止用ボルトキャップのサイズは六角柱状締結具よりも少々大きいだけなので、周辺の部材と干渉してしまう可能性が低いなどの優れた利点がある。従って、六角ボルトや六角ナット等によって締結された既存の金属部材や建造物に対して防犯対策を容易に適用でき、その適用範囲は非常に広い。
【図面の簡単な説明】
【００２６】
【図１】本発明に係る盗難防止用ボルトキャップの分解斜視図。
【図２】本発明に係る盗難防止用ボルトキャップの分解断面図。
【図３】本発明に係る盗難防止用ボルトキャップを六角ボルトの頭部に嵌合した際の縦断面図。
【図４】本発明に係る盗難防止用ボルトキャップを六角ナットに嵌合した際の縦断面図。
【図５】図３におけるＸ−Ｘ線断面図
【符号の説明】
【００２７】
１      インナーキャップ
８      抜脱防止片
１０    アウターキャップ
１７    かしめ接合
１９    六角ボルト
２２    ワッシャー
２３    板材
２４    被締結部材
２５    六角ナット
【図１】
2008309235.tif 000003
【図２】
2008309235.tif 000004
【図３】
2008309235.tif 000005
【図４】
2008309235.tif 000006
【図５】
2008309235.tif 000007